(57)【要約】【課題】簡易な操作でユーザの所望するグラフ上の座標を算出できる表示制御装置及びこれを備えた粒子径分布測定装置を提供する。【解決手段】表示制御装置５において、選択受付処理部５１１は、グラフ表示領域における縦軸又は横軸のいずれか一方の選択を受け付ける。座標算出処理部５１３は、座標指定処理部５１２によりグラフ表示領域上の座標が指定された場合に、選択受付処理部５１１により縦軸の選択が受け付けられていれば、指定された座標と縦軸の値が一致するグラフ上の座標を算出し、座標指定処理部５１２により横軸の選択が受け付けられていれば、指定された座標と横軸の値が一致するグラフ上の座標を算出する。そのため、簡易な操作でユーザの所望するグラフ上の座標を算出できる。【選択図】  図２
2018077334.tif 000002
【特許請求の範囲】
【請求項１】
縦軸及び横軸で表される座標平面からなるグラフ表示領域にグラフを表示させるグラフ表示処理部と、
縦軸又は横軸のいずれか一方の選択を受け付ける選択受付処理部と、
前記グラフ表示領域における座標を指定する座標指定処理部と、
前記座標指定処理部により座標が指定された場合に、前記選択受付処理部により縦軸の選択が受け付けられていれば、指定された座標と縦軸の値が一致するグラフ上の座標を算出し、前記選択受付処理部により横軸の選択が受け付けられていれば、指定された座標と横軸の値が一致するグラフ上の座標を算出する座標算出処理部とを備えることを特徴とする表示制御装置。
【請求項２】
前記座標算出処理部によりグラフ上の座標が算出された場合に、前記選択受付処理部により縦軸の選択が受け付けられていれば、算出された座標を通る縦軸に平行な補助線を前記グラフ表示領域に表示させ、前記選択受付処理部により横軸の選択が受け付けられていれば、算出された座標を通る横軸に平行な補助線を前記グラフ表示領域に表示させる補助線表示処理部をさらに備えることを特徴とする請求項１に記載の表示制御装置。
【請求項３】
前記座標算出処理部によりグラフ上の座標が算出された場合に、前記選択受付処理部により縦軸の選択が受け付けられていれば、算出された座標の少なくとも横軸の値を表示させ、前記選択受付処理部により横軸の選択が受け付けられていれば、算出された座標の少なくとも縦軸の値を表示させる数値表示処理部をさらに備えることを特徴とする請求項１又は２に記載の表示制御装置。
【請求項４】
前記選択受付処理部は、グラフによって２分割された前記グラフ表示領域内の第１領域及び第２領域のうち、前記第１領域内の座標が前記座標指定処理部により指定された場合に縦軸の選択を受け付け、前記第２領域内の座標が前記座標指定処理部により指定された場合に横軸の選択を受け付けることを特徴とする請求項１〜３のいずれか一項に記載の表示制御装置。
【請求項５】
前記グラフ表示処理部は、縦軸又は横軸の一方を粒子量とするグラフを前記グラフ表示領域に表示させることを特徴とする請求項１〜４のいずれか一項に記載の表示制御装置。
【請求項６】
前記グラフ表示処理部は、縦軸又は横軸の一方を相対粒子量の積算値とし、他方を粒子径とするグラフを前記グラフ表示領域に表示させることを特徴とする請求項５に記載の表示制御装置。
【請求項７】
請求項１〜６のいずれか一項に記載の表示制御装置と、
試料が供給される試料セルと、
前記試料セルに測定光を照射する光源と、
前記試料セル内の試料からの回折光又は散乱光を受光する複数の受光素子とを備え、
前記グラフ表示処理部は、前記複数の受光素子における受光強度に基づいて、前記グラフ表示領域にグラフを表示させることを特徴とする粒子径分布測定装置。
【発明の詳細な説明】
【技術分野】
【０００１】
本発明は、座標平面からなるグラフ表示領域にグラフを表示させる表示制御装置、及び、これを備えた粒子径分布測定装置に関するものである。
【背景技術】
【０００２】
従来から、座標平面からなるグラフ表示領域にグラフを表示させる表示制御装置（表示装置）が利用されている。
【０００３】
表示装置で表示されるグラフ上の任意の点の数値を確認する場合に、ユーザが視認により数値を読み取ることがある。しかし、このような方法は、ユーザの視覚に基づくため、高精度で数値を読み取ることが困難である。そのため、グラフ表示領域にカーソル（ポインター）を表示させ、グラフ上の任意の点をカーソルによってピンポイントで指定し、その指定された点の数値を表示させる装置が利用されている。しかし、このような装置では、ユーザが操作部を操作することによってカーソルを移動させてグラフ上の点をピンポイントで指定しなければならないため、ユーザによる高精度での操作部の操作が必要となる。
【０００４】
そこで、表示装置として、グラフ表示領域にカーソル線を表示させ、このカーソル線とグラフとの交点における数値を表示させる装置が提案されている（例えば、下記特許文献１参照）。この表示装置では、カーソル線は、座標平面の縦軸と平行に表示されており、ユーザが操作部を操作することにより横軸に沿って移動する。そして、グラフ上の任意の点（座標）とカーソル線とを交差させることにより、その点における数値が表示される。
【０００５】
このように、特許文献１に記載の装置では、ユーザはカーソル線を横軸に沿って移動させる操作のみを行えばよいため、簡易な操作でグラフ上の任意の点における数値を確認できる。
【先行技術文献】
【特許文献】
【０００６】
【特許文献１】特開平０６−１１３６３号公報
【発明の概要】
【発明が解決しようとする課題】
【０００７】
上記した従来の表示装置では、グラフ上の点を選択する際におけるユーザの操作部の操作が限られており、十分な操作性を実現できない場合があった。具体的には、上記した従来の表示装置では、カーソル線が横軸に沿って移動することにより、カーソル線が示す横軸の値が選択され、その横軸の値と対応するグラフ上の縦軸の値が選択される。そして、グラフ上の選択された値が表示される。このように、上記した従来の表示装置では、常にカーソル線が示す横軸の値が基準となり、その値に対応するグラフ上の縦軸の値が選択される。しかし、グラフの種類によっては、グラフにおける縦軸の値を基準とし、その値に対応するグラフ上の横軸の値を選択したい場合もある。さらに、グラフ上の横軸の値を基準とする場合と、グラフ上の縦軸の値を基準とする場合とを切り替えて利用したいこともある。
【０００８】
本発明は、上記実情に鑑みてなされたものであり、簡易な操作でユーザの所望するグラフ上の座標を算出できる表示制御装置及びこれを備えた粒子径分布測定装置を提供することを目的とする。
【課題を解決するための手段】
【０００９】
（１）本発明に係る表示制御装置は、グラフ表示処理部と、選択受付処理部と、座標指定処理部と、座標算出処理部とを備える。前記グラフ表示処理部は、縦軸及び横軸で表される座標平面からなるグラフ表示領域にグラフを表示させる。前記選択受付処理部は、縦軸又は横軸のいずれか一方の選択を受け付ける。前記座標指定処理部は、前記グラフ表示領域における座標を指定する。前記座標算出処理部は、前記座標指定処理部により座標が指定された場合に、前記選択受付処理部により縦軸の選択が受け付けられていれば、指定された座標と縦軸の値が一致するグラフ上の座標を算出し、前記選択受付処理部により横軸の選択が受け付けられていれば、指定された座標と横軸の値が一致するグラフ上の座標を算出する。
【００１０】
このような構成によれば、座標算出処理部は、座標指定処理部により指定された座標と縦軸又は横軸の値が一致するグラフ上の座標を算出する。
そのため、グラフ表示領域上の任意の座標を指定するだけの簡易な操作で、その座標に縦軸又は横軸の値が一致するグラフ上の座標を算出できる。
【００１１】
また、グラフ上の縦軸の値を基準として座標を算出したい場合には、選択受付処理部によって縦軸の選択を受け付け、座標指定処理部により指定された座標と縦軸の値が一致するグラフ上の座標を算出することにより、グラフ上の任意の座標を算出できる。また、グラフ上の横軸の値を基準として座標を算出したい場合には、選択受付処理部によって横軸の選択を受け付け、座標指定処理部により指定された座標と横軸の値が一致するグラフ上の座標を算出することにより、グラフ上の任意の座標を算出できる。
【００１２】
そのため、選択受付処理部による選択を適宜変更することにより、縦軸又は横軸のうちユーザの所望する軸を選択し、グラフ上の座標を算出できる。
すなわち、簡易な操作でユーザの所望するグラフ上の座標を算出できる。
【００１３】
（２）また、前記表示制御装置は、補助線表示処理部をさらに備えてもよい。前記補助線表示処理部は、前記座標算出処理部によりグラフ上の座標が算出された場合に、前記選択受付処理部により縦軸の選択が受け付けられていれば、算出された座標を通る縦軸に平行な補助線を前記グラフ表示領域に表示させ、前記選択受付処理部により横軸の選択が受け付けられていれば、算出された座標を通る横軸に平行な補助線を前記グラフ表示領域に表示させる。
【００１４】
このような構成によれば、選択受付処理部により縦軸の選択が受け付けられている場合には、補助線表示処理部により表示される補助線によって、グラフ上の座標の横軸の値を示すことができる。また、選択受付処理部により横軸の選択が受け付けられている場合には、補助線表示処理部により表示される補助線によって、グラフ上の座標の縦軸の値を示すことができる。
【００１５】
そのため、選択受付処理部により縦軸の選択が受け付けられている場合には、補助線によって、グラフ上の座標の横軸の値を直感的に認識できる。また、選択受付処理部により横軸の選択が受け付けられている場合には、補助線によって、グラフ上の座標の縦軸の値を直感的に認識できる。
【００１６】
（３）また、前記表示制御装置は、数値表示処理部をさらに備えてもよい。前記数値表示処理部は、前記座標算出処理部によりグラフ上の座標が算出された場合に、前記選択受付処理部により縦軸の選択が受け付けられていれば、算出された座標の少なくとも横軸の値を表示させ、前記選択受付処理部により横軸の選択が受け付けられていれば、算出された座標の少なくとも縦軸の値を表示させる。
【００１７】
このような構成によれば、数値表示処理部により表示される数値を確認することにより、座標算出処理部により算出されたグラフ上の座標の縦軸及び横軸の少なくとも一方の値を認識できる。
【００１８】
（４）また、前記選択受付処理部は、グラフによって２分割された前記グラフ表示領域内の第１領域及び第２領域のうち、前記第１領域内の座標が前記座標指定処理部により指定された場合に縦軸の選択を受け付け、前記第２領域内の座標が前記座標指定処理部により指定された場合に横軸の選択を受け付けてもよい。
【００１９】
このような構成によれば、選択受付処理部による縦軸又は横軸の選択を、より簡易な操作で行うことができる。
（５）また、前記グラフ表示処理部は、縦軸又は横軸の一方を粒子量とするグラフを前記グラフ表示領域に表示させてもよい。
【００２０】
このような構成によれば、選択受付処理部によって適切な座標軸の選択を受け付けることにより、簡易な操作でグラフ上の粒子量の値を算出できる。
（６）また、前記グラフ表示処理部は、縦軸又は横軸の一方を相対粒子量の積算値とし、他方を粒子径とするグラフを前記グラフ表示領域に表示させてもよい。
【００２１】
このような構成によれば、選択受付処理部によって適切な軸の選択を受け付けることにより、簡易な操作でグラフ上の相対粒子量の積算値又は粒子径の値を算出できる。
【００２２】
（７）本発明に係る粒子径分布測定装置は、前記表示制御装置と、試料セルと、光源と、複数の受光素子とを備える。前記試料セルには、試料が供給される。前記光源は、前記試料セルに測定光を照射する。前記複数の受光素子は、前記試料セル内の試料からの回折光又は散乱光を受光する。前記グラフ表示処理部は、前記複数の受光素子における受光強度に基づいて、前記グラフ表示領域にグラフを表示させる。
【００２３】
このような構成によれば、試料の粒子径分布を測定し、その測定結果をグラフ表示領域にグラフとして表示させることができる。そして、簡易な操作でユーザの所望するグラフ上の座標を算出できる。
【発明の効果】
【００２４】
本発明によれば、グラフ表示領域上の任意の座標を指定するだけの簡易な操作で、ユーザの所望するグラフ上の座標を算出できる。
【図面の簡単な説明】
【００２５】
【図１】本発明の一実施形態に係る表示制御装置を備える粒子径分布測定装置の構成例を示した概略図である。
【図２】図１の表示制御装置の電気的構成を示したブロック図である。
【図３Ａ】表示部のグラフ表示領域に対する粒子径分布データの表示態様の一例を示した図であって、第１領域の座標が指定された状態を示している。
【図３Ｂ】表示部のグラフ表示領域に対する粒子径分布データの表示態様の一例を示した図であって、第２領域の座標が指定された状態を示している。
【図４】表示制御装置の制御部による制御動作の一例を示したフローチャートである。
【発明を実施するための形態】
【００２６】
１．粒子径分布測定装置の全体構成
図１は、本発明の一実施形態に係る表示制御装置５を備える粒子径分布測定装置の構成例を示した概略図である。
【００２７】
この粒子径分布測定装置は、試料に含まれる粒子群の粒子径と粒子量との関係を測定することにより、粒子径分布データを生成するためのものであり、試料の測定を行うための測定機構１を備えている。
【００２８】
測定機構１には、光源１１、集光レンズ１２、空間フィルタ１３、コリメータレンズ１４、フローセル１５、集光レンズ１６及び検出器１７などが備えられている。測定対象となる試料は、例えば超音波振動子が内蔵された循環式サンプラ２などの供給源からフローセル１５に供給されるようになっている。
【００２９】
光源１１は、例えばレーザ光源からなる。当該光源１１から放射された光（測定光）は、集光レンズ１２、空間フィルタ１３及びコリメータレンズ１４を通過することにより平行光となり、フローセル１５に入射する。ただし、フローセル１５に限らず、試料が収容された回分セルに光が入射するような構成であってもよい。
【００３０】
検出器１７は、試料からの光を検出するためのものであり、例えばフォトダイオードアレイにより構成される。検出器１７は、例えば互いに異なる半径を有するリング状又は半リング状の検出面が形成された複数（例えば、６４個）の受光素子１７１を、集光レンズ１６の光軸を中心として同心円状に配置することにより構成されており、各受光素子１７１には、それぞれの位置に応じた角度の方向に回折又は散乱された試料からの光が入射する。したがって、検出器１７の各受光素子１７１の検出信号は、入射角度に対応する光の強度を表すことになる。
【００３１】
この図１の例では、フローセル１５の前方（光源１１とは反対側）にのみ検出器１７が示されている。ただし、フローセル１５の後方（光源１１側）や側方（光の入射方向に対して直交する面内）にも、それぞれ試料で回折又は散乱された光を受光する受光素子を備えた検出器が設けられていてもよい。
【００３２】
検出器１７の各受光素子１７１の検出信号は、Ａ／Ｄ変換器３によりアナログ信号からデジタル信号に変換された後、通信部４を介して表示制御装置５に入力されるようになっている。これにより、検出器１７の各受光素子１７１の素子番号と各受光素子１７１における検出強度とが対応付けられた光強度分布データが、表示制御装置５に入力される。
【００３３】
表示制御装置５は、試料の粒子径分布を測定する際のデータを処理する。表示制御装置５は、例えばコンピュータにより構成されており、制御部５１、操作部５２、表示部５３及び記憶部５４などを備えている。制御部５１は、例えばＣＰＵ（Central Processing Unit）を含む構成であり、操作部５２、表示部５３及び記憶部５４などの各部が電気的に接続されている。
【００３４】
操作部５２は、例えばキーボード及びマウスを含む構成であり、ユーザが操作部５２を操作することにより入力作業などを行うことができるようになっている。表示部５３は、例えば液晶表示器などにより構成されており、測定機構１における測定結果などの各種情報が表示される。記憶部５４は、例えばＲＡＭ（Random Access Memory）及びハードディスクなどにより構成される。
【００３５】
粒子径分布測定装置において試料の測定を行う際には、光源１１から光が出射されるとともに、循環式サンプラ２からフローセル１５に試料が供給される。
光源１１から出射された光は、集光レンズ１２、空間フィルタ１３及びコリメータレンズ１４を通過することにより平行光になる。そして、平行光になった測定光の一部が、フローセル１５に照射され、フローセル１５内の試料に含まれる粒子群で回折又は散乱された光（回折散乱光）が、集光レンズ１６を通って検出器１７により受光される。
【００３６】
そして、検出器１７からの検出信号に基づく光強度分布データが、表示制御装置５に入力される。表示制御装置５において、制御部５１は、その光強度分布データを取得し、光強度分布データに対して、所定のパラメータを用いて演算を行うことにより粒子径分布データを算出する。また、制御部５１は、その粒子径分布データを記憶部５４に格納するとともに、ユーザによる操作部５２の操作に応じて、粒子径分布データを表示部５３に表示させる。
【００３７】
２．表示制御装置の電気的構成
図２は、表示制御装置５の電気的構成を示したブロック図である。
表示制御装置５において、制御部５１は、ＣＰＵがプログラムを実行することにより、選択受付処理部５１１、座標指定処理部５１２、座標算出処理部５１３及び表示処理部５１４などとして機能する。
選択受付処理部５１１は、ユーザによる操作部５２の操作に基づいて、表示部５３に表示される座標平面における座標軸の選択を受け付ける。
座標指定処理部５１２は、ユーザによる操作部５２の操作に基づいて、表示部５３に表示される座標平面における座標を指定する。
【００３８】
座標算出処理部５１３は、選択受付処理部５１１による座標軸の選択の結果、及び、座標指定処理部５１２による座標の指定の結果に基づいて、表示部５３に表示される座標平面におけるグラフ上の座標を算出する。
表示処理部５１４には、グラフ表示処理部５１５、補助線表示処理部５１６及び数値表示処理部５１７が含まれる。
【００３９】
グラフ表示処理部５１５は、記憶部５４に記憶される粒子径分布データ５４１に基づいて、表示部５３に表示される座標平面にグラフを表示させる。記憶部５４には、測定対象の試料に対応する粒子径分布のデータとして、複数の粒子径分布データ５４１が記憶されている。グラフ表示処理部５１５は、記憶部５４に記憶されている複数の粒子径分布データ５４１から所定のデータを読み出し、その読み出した粒子径分布データ５４１に対応するグラフを表示部５３に表示させる。
【００４０】
補助線表示処理部５１６は、選択受付処理部５１１による座標軸の選択の結果、及び、座標算出処理部５１３による座標の算出の結果に基づいて、表示部５３に表示される座標平面に補助線を表示させる。
【００４１】
数値表示処理部５１７は、選択受付処理部５１１による座標軸の選択の結果に基づいて、座標算出処理部５１３によって算出された座標の数値情報を表示部５３に表示させる。
【００４２】
３．表示部のグラフ表示領域の表示態様
図３Ａは、表示部５３のグラフ表示領域６０に対する粒子径分布データの表示態様の一例を示した図であって、第１領域６０１の座標が指定された状態を示している。図３Ｂは、表示部５３のグラフ表示領域６０に対する粒子径分布データの表示態様の一例を示した図であって、第２領域６０２の座標が指定された状態を示している。
【００４３】
上記した表示部５３には、グラフ表示領域６０が表示される。グラフ表示領域６０は、粒子径分布のデータをグラフ表示させるための領域であって、縦軸が相対粒子量（粒子量）を示しており、横軸が粒子径を示している。グラフ表示領域６０には、ユーザの操作部５２の操作によって選択された粒子径分布データ５４１がグラフＡ，Ｆとして表示される。グラフＦは、粒子径に対する相対粒子量の頻度を棒グラフによって示している。グラフＡは、粒子径に対する相対粒子量の積算値を曲線グラフによって示している。グラフＡでは、粒子径が大きくなるにつれて、相対粒子量は、緩やかに上昇した後に急上昇し、その後、緩やかに上昇している。すなわち、グラフＡは、右肩上がりのグラフである。グラフＡは、グラフ表示領域６０を２分割している。グラフＡによって２分割された領域のうち、粒子径が小さい側の領域（左側の領域）が第１領域６０１であり、粒子径が大きい側の領域（右側の領域）が第２領域６０２である。
【００４４】
４．制御部による制御動作
上記したグラフ表示領域６０に表示されるグラフは、粒子径と相対粒子量との関係を示している。
グラフ上の座標を読み取る場合においては、粒子径を基準として座標を読み取ることが適切な場合もあれば、相対粒子量を基準として座標を読み取ることが適切な場合もある。例えばサンプルの品質を確認する場合などには、相対粒子量が一定区間内の値を示すことを基準とし、その基準となる相対粒子量に対応する粒子径の値を読み取る場合もある。また、粒子径が一定区間内の値を示すことを基準とし、その基準となる粒子径に対応する相対粒子量の値を読み取る場合もある。
このような場合に対応するため、本実施形態では、以下のように、グラフ表示領域６０に対する表示の制御が行われる。
【００４５】
図４は、表示制御装置５の制御部５１による制御動作の一例を示したフローチャートである。なお、以下では、制御部５１によってグラフＡ上の座標が算出される場合について説明する。
【００４６】
表示制御装置５の記憶部５４では、図示しないが、グラフ表示領域６０上の各領域に対応する座標軸の情報が予め記憶されている。具体的には、記憶部５４には、グラフ表示領域６０の第１領域６０１にグラフ表示領域６０の縦軸が対応し、グラフ表示領域６０の第２領域６０２にグラフ表示領域６０の横軸が対応するという情報が予め記憶されている。
【００４７】
そして、ユーザが操作部５２を操作することにより、図示しないカーソル（ポインター）などによって、グラフ表示領域６０上の点が選択（クリック）されると（ステップＳ１０１でＹＥＳ）、座標指定処理部５１２は、そのグラフ表示領域６０上の点を指定する（ステップＳ１０２）。
【００４８】
この例では、図３Ａに示すように、ユーザによってグラフ表示領域６０の第１領域６０１上の点Ｂが選択されたとする。そして、座標指定処理部５１２は、第１領域６０１上の点Ｂを指定する。
【００４９】
上記したように、グラフ表示領域６０の第１領域６０１にはグラフ表示領域６０の縦軸が対応している。そのため、選択受付処理部５１１は、第１領域６０１上の点である点Ｂが指定されたことに基づいて（ステップＳ１０３でＹＥＳ）、グラフ表示領域６０の縦軸の選択を受け付ける（ステップＳ１０４）。
【００５０】
そして、座標算出処理部５１３は、選択受付処理部５１１が選択を受け付けた座標軸、及び、座標指定処理部５１２が指定した座標に基づいて、グラフＡ上の座標を算出する（ステップＳ１０５）。具体的には、座標算出処理部５１３は、選択受付処理部５１１によりグラフ表示領域６０の縦軸の選択が受け付けられたことに基づいて、座標指定処理部５１２が指定した点Ｂと縦軸の値が一致するグラフＡ上の点Ｃの座標を算出する。図３Ａでは示されないが、グラフＡは一定間隔ごとに表示される点の集合からなるグラフであるため、座標算出処理部５１３は、スプライン補間や多項式補間などを用いて補間値を算出することで、グラフＡ上の点Ｃの座標を算出する。また、このとき、座標算出処理部５１３は、点Ｃの位置を丸などの記号によって表示する。
【００５１】
また、数値表示処理部５１７は、グラフ表示領域６０において、座標算出処理部５１３により算出された座標の値を示す座標情報６１を表示させる（ステップＳ１０６）。具体的には、数値表示処理部５１７は、選択受付処理部５１１によりグラフ表示領域６０の縦軸の選択が受け付けられたことに基づいて、座標情報６１において、少なくともグラフＡ上の座標の横軸の値を表示させる。この例では、数値表示処理部５１７は、座標情報６１として、座標算出処理部５１３が算出したグラフＡ上の点Ｃの縦軸及び横軸の値を表示させる。
【００５２】
そして、補助線表示処理部５１６は、選択受付処理部５１１によりグラフ表示領域６０の縦軸の選択が受け付けられたことに基づいて、座標算出処理部５１３により算出された点Ｃを通る縦軸に平行な補助線６２をグラフ表示領域６０に表示させる（ステップＳ１０７）。
【００５３】
一方、ユーザによってグラフ表示領域６０の第２領域６０２上の点Ｄが選択された場合には、座標指定処理部５１２は、図３Ｂに示すように、第２領域６０２上の点Ｄを指定する。
【００５４】
上記したように、グラフ表示領域６０の第２領域６０２にはグラフ表示領域６０の横軸が対応している。そのため、選択受付処理部５１１は、第２領域６０２上の点である点Ｄが指定されたことに基づいて（ステップＳ１０３でＮＯ）、グラフ表示領域６０の横軸の選択を受け付ける（ステップＳ１０８）。
【００５５】
そして、座標算出処理部５１３は、選択受付処理部５１１によりグラフ表示領域６０の横軸の選択が受け付けられたことに基づいて、座標指定処理部５１２が指定した点Ｄと横軸の値が一致するグラフＡ上の点Ｅの座標を算出する（ステップＳ１０５）。また、このとき、座標算出処理部５１３は、点Ｅの位置を丸などの記号によって表示する。
【００５６】
また、数値表示処理部５１７は、グラフ表示領域６０において、座標算出処理部５１３により算出されたグラフＡ上の点Ｅの値を示す座標情報６３を表示させる（ステップＳ１０６）。具体的には、数値表示処理部５１７は、選択受付処理部５１１によりグラフ表示領域６０の横軸の選択が受け付けられたことに基づいて、座標情報６１において、少なくともグラフＡ上の座標の縦軸の値を表示させる。この例では、数値表示処理部５１７は、座標情報６３として、座標算出処理部５１３が算出したグラフＡ上の点Ｅの縦軸及び横軸の値を表示させる。
【００５７】
そして、補助線表示処理部５１６は、選択受付処理部５１１によりグラフ表示領域６０の横軸の選択が受け付けられたことに基づいて、座標算出処理部５１３により算出された点Ｅを通る横軸に平行な補助線６４をグラフ表示領域６０に表示させる（ステップＳ１０７）。
【００５８】
このように、ユーザは、図３Ａに示す座標情報６１を確認することにより、点Ｂに対応するグラフＡ上の点Ｃの座標の値を認識できる。同様に、図３Ｂに示す座標情報６３を確認することにより、点Ｄに対応するグラフＡ上の点Ｅの座標の値を認識できる。また、ユーザは、図３Ａに示す補助線６２を確認することにより、点Ｂに対応するグラフＡ上の点Ｃの横軸の値を直感的に認識できる。同様に、ユーザは、図３Ｂに示す補助線６４を確認することにより、点Ｄに対応するグラフＡ上の点Ｅの縦軸の値を直感的に認識できる。
【００５９】
５．作用効果
（１）本実施形態では、表示制御装置５において、選択受付処理部５１１は、グラフ表示領域６０における縦軸又は横軸のいずれか一方の選択を受け付ける。座標算出処理部５１３は、ユーザによって操作部５２が操作されて、座標指定処理部５１２によりグラフ表示領域６０上の座標が指定された場合に、選択受付処理部５１１により縦軸の選択が受け付けられていれば、指定された座標と縦軸の値が一致するグラフＡ上の座標を算出し、座標指定処理部５１２により横軸の選択が受け付けられていれば、指定された座標と横軸の値が一致するグラフＡ上の座標を算出する。
【００６０】
このように、表示制御装置５において、座標算出処理部５１３は、座標指定処理部５１２により指定された座標と縦軸又は横軸の値が一致するグラフＡ上の座標を算出する。
そのため、グラフ表示領域６０上の任意の座標を指定するだけの簡易な操作で、その座標に縦軸又は横軸の値が一致するグラフＡ上の座標を算出できる。
【００６１】
また、表示制御装置５では、グラフＡ上の縦軸の値を基準として座標を算出したい場合には、選択受付処理部５１１によって縦軸の選択を受け付け、座標指定処理部５１２により指定された座標と縦軸の値が一致するグラフＡ上の座標を算出することにより、グラフＡ上の任意の座標を算出できる。また、グラフＡ上の横軸の値を基準として座標を算出したい場合には、選択受付処理部５１１によって横軸の選択を受け付け、座標指定処理部５１２により指定された座標と横軸の値が一致するグラフＡ上の座標を算出することにより、グラフＡ上の任意の座標を算出できる。
【００６２】
そのため、選択受付処理部５１１による選択を適宜変更することにより、縦軸又は横軸のうちユーザの所望する軸を選択し、グラフＡ上の座標を算出できる。
すなわち、簡易な操作でユーザの所望するグラフＡ上の座標を算出できる。
【００６３】
（２）また、本実施形態では、選択受付処理部５１１によりグラフ表示領域６０の縦軸の選択が受け付けられている場合には、図３Ａに示すように、補助線表示処理部５１６により表示される補助線６２によって、グラフＡ上の座標の横軸の値を示すことができる。また、選択受付処理部５１１により横軸の選択が受け付けられている場合には、図３Ｂに示すように、補助線表示処理部５１６により表示される補助線６４によって、グラフＡ上の座標の縦軸の値を示すことができる。
【００６４】
そのため、選択受付処理部５１１により縦軸の選択が受け付けられている場合には、補助線６２によって、グラフＡ上の座標の横軸の値を直感的に認識できる。また、選択受付処理部５１１により横軸の選択が受け付けられている場合には、補助線６４によって、グラフＡ上の座標の縦軸の値を直感的に認識できる。
【００６５】
（３）また、本実施形態では、数値表示処理部５１７は、座標算出処理部５１３によりグラフＡ上の座標が算出された場合に、選択受付処理部５１１によりグラフ表示領域６０の縦軸の選択が受け付けられていれば、図３Ａに示す座標情報６１において、算出された座標の少なくとも横軸の値を表示させ、選択受付処理部５１１により横軸の選択が受け付けられていれば、図３Ｂに示す座標情報６３において、算出された座標の少なくとも縦軸の値を表示させる。
【００６６】
そのため、数値表示処理部５１７により表示される数値（座標情報６１，６３）を認識することにより、座標算出処理部５１３により算出されたグラフＡ上の座標の縦軸及び横軸の少なくとも一方の値を認識できる。
【００６７】
（４）また、本実施形態では、選択受付処理部５１１は、グラフ表示領域６０においてグラフＡによって２分割された第１領域６０１内の座標が座標指定処理部５１２により指定された場合に縦軸の選択を受け付け、グラフ表示領域６０においてグラフＡによって２分割された第２領域６０２内の座標が座標指定処理部５１２により指定された場合に横軸の選択を受け付ける。
そのため、選択受付処理部５１１によるグラフ表示領域６０の縦軸又は横軸の選択を、より簡易な操作で行うことができる。
【００６８】
（５）また、本実施形態では、グラフ表示処理部５１５は、縦軸を粒子量とするグラフＡをグラフ表示領域６０に表示させる。具体的には、選択受付処理部５１１は、縦軸を相対粒子量の積算値とし、横軸を粒子径とするグラフＡをグラフ表示領域６０に表示させる。
【００６９】
そのため、選択受付処理部５１１によって適切な座標軸の選択を受け付けることにより、簡易な操作でグラフＡ上の相対粒子量の積算値又は粒子径の値を算出できる。
【００７０】
（６）また、本実施形態では、表示制御装置５は、粒子径分布測定装置に備えられる。
そのため、試料の粒子径分布を測定し、その測定結果をグラフ表示領域６０にグラフとして表示させることができる。そして、簡易な操作でユーザの所望するグラフ上の座標を算出できる。
【００７１】
６．変形例
上記した実施形態では、表示制御装置５は、粒子径分布測定装置に備えられるとして説明した。しかし、本発明に係る表示制御装置は、粒子径分布測定装置以外の装置にも適用可能である。
【００７２】
また、上記した実施形態では、制御部５１は、グラフ表示領域６０に表示された粒子量を示すグラフに関する表示制御を行うとして説明した。しかし、制御部５１は、上記した表示制御をその他のグラフに関して行うことが可能である。
【００７３】
また、上記した実施形態では、制御部５１は、グラフ表示領域６０に表示されたグラフＡに関する表示制御を行うとして説明したが、他のグラフ（曲線グラフ又は折れ線グラフなどの線グラフなど）に関する表示制御を行ってもよい。例えば制御部５１は、グラフ表示領域６０に表示されたグラフＦに関して、上記した表示制御と同様の表示制御を行ってもよい。この場合、図３Ａ及び図３Ｂにおいて二点鎖線に示す曲線グラフ上の座標が算出されてもよい。また、制御部５１は、縦軸又は横軸の一方を経過時間とし、他方を一定区間の粒子径における絶対粒子量とするグラフに関して、上記した表示制御と同様の表示制御を行ってもよい。
【００７４】
また、上記した実施形態では、数値表示処理部５１７は、座標算出処理部５１３が算出したグラフ上の座標の縦軸及横軸の値を表示させるとして説明した。しかし、数値表示処理部５１７は、選択受付処理部５１１によりグラフ表示領域６０の縦軸の選択が受け付けられた場合には、グラフ上の座標の横軸の値のみを表示させてもよく、選択受付処理部５１１によりグラフ表示領域６０の横軸の選択が受け付けられた場合には、グラフ上の座標の縦軸の値のみを表示させてもよい。
【００７５】
また、上記した実施形態では、座標指定処理部５１２は、ユーザが操作部５２を操作して、クリックなどの動作が行われてグラフ表示領域６０の所定の点が選択されることに応じて、その点を指定するとして説明した。しかし、座標指定処理部５１２は、ユーザが操作部５２を操作してカーソルが合わされた点を指定してもよい。このようにすれば、ユーザが操作部５２を操作してカーソルを移動させるたびに、そのカーソルに対応するグラフ上の座標を自動的に算出して表示させることができる。
【００７６】
また、上記した実施形態では、グラフ表示領域６０において指定された座標の領域に基づいて、グラフ表示領域６０の縦軸又は横軸の選択が受け付けられるとして説明した。しかし、例えば、表示部５３において、縦軸を選択するためのボタン、及び、横軸を選択するためのボタンが表示され、これらのボタンが選択されたことに応じて、グラフ表示領域６０の縦軸又は横軸の選択が受け付けられてもよい。この場合において、縦軸の選択が受け付けられた場合には、ユーザの操作部５２の操作によって移動可能な横軸に平行なカーソル線を表示させ、このカーソル線とグラフとの交点の座標を算出してもよい。また、横軸の選択が受け付けられた場合には、ユーザの操作部５２の操作によって移動可能な縦軸に平行なカーソル線を表示させ、このカーソル線とグラフとの交点の座標を算出してもよい。この場合、これらのカーソル線をマウスによるドラッグ操作などにより任意に移動させるようにすることができる。カーソル線を移動するための操作は、ドラッグ操作に限られず、矢印キーなどを移動操作に割り当ててもよい。
【符号の説明】
【００７７】
５        表示制御装置
５１      制御部
６０      グラフ表示領域
６２，６４  補助線
５１１    選択受付処理部
５１２    座標指定処理部
５１３    座標算出処理部
５１４    表示処理部
５１５    グラフ表示処理部
５１６    補助線表示処理部
５１７    数値表示処理部
６０１    第１領域
６０２    第２領域
【図１】
2018077334.tif 000003
【図２】
2018077334.tif 000004
【図３Ａ】
2018077334.tif 000005
【図３Ｂ】
2018077334.tif 000006
【図４】
2018077334.tif 000007